(57)【要約】      （修正有）【課題】構造が簡単で、容易に設置することができ、かつ地震時に目地部が狭くなっても、目地天井材にキズが付くのを効率よく阻止して、長期間損傷なく使用できる天井用目地カバー装置を提供する。【解決手段】一方の建物の天井部位の躯体に吊り具を介して取付けられた天井材８と、この天井材と対応する部位の他方の建物３の目地部側の躯体に固定あるいは前後方向に移動できる支承体１１と、支承体の上方へ突出するように固定された複数個の支柱１３と、この複数個の支柱に少なくとも左右方向に遊びを有する係合孔１５を有するブラケット１６を介して取付けられ、目地部２を覆う部分が通常時にはほぼ水平状態となる目地プレートフレーム２５と、この目地プレートフレームに所定間隔で左右方向に取付けられた複数個のプロテクター１８と、この複数個のプロテクター間を覆う目地天井材とからなる可動目地プレートと１９で構成する。【選択図】図２
2014001565.tif 000002
【特許請求の範囲】
【請求項１】
目地部を介して設けられた左右の建物の、一方の建物の天井部位の躯体に吊り具を介して取付けられた天井材と、この天井材と対応する部位の前記左右の建物の他方の建物の目地部側の躯体に固定あるいは前後方向に移動できる支承体と、この支承体の上面に前記他方の建物の躯体との間に隙間を有するように所定間隔で上方へ突出するように固定された複数個の支柱と、この複数個の支柱に少なくとも左右方向に遊びを有する係合孔を有するブラケットを介して取付けられた、前記目地部を覆う部分が通常時には水平、あるいはほぼ水平状態となる目地プレートフレーム、この目地プレートフレームに所定間隔で左右方向に取付けられた複数個のプロテクター、この複数個のプロテクター間を覆い、かつ該複数個のプロテクターの下端部より下端部が上方に位置する目地天井材とからなる可動目地プレートと、前記天井材の目地部側端部に取付けられた、前記可動目地プレートの複数個のプロテクターの先端部と地震時に当接して上方へガイドすることができ、かつ通常時には該天井材と前記可動目地プレートとの隙間を覆うガイドレールとからなることを特徴とする天井用目地カバー装置。
【請求項２】
目地プレートフレームのブラケットは前後方向にスライド移動可能な支承体に取付けられるとともに、係合孔は支柱に左右方向に遊びを有する長孔状に形成されていることを特徴とする請求項１記載の天井用目地カバー装置。
【発明の詳細な説明】
【技術分野】
【０００１】
本発明は目地部を介して設けられた左右の建物の天井部分の目地部を覆う天井用目地カバー装置に関する。
【背景技術】
【０００２】
従来の天井用目地カバー装置は、地震で目地部峨狭くなると可動目地プレートの先端部を押し上げ杆、受け具、押し上げ部材によって上方へ押し上げて、その揺れ動きを吸収できるように構成されている。
【０００３】
しかしながら、可動目地プレートの先端部を、目地部が狭くなる時に上方へ押し上げる機構が必要で、コスト高になるとともに、可動目地プレートの先端部が押し上げられる時に、押し上げ部材上をスライド移動するため、可動目地プレートの目地天井材の仕上材にキズが付いたりするという欠点があった。
【先行技術文献】
【特許文献】
【０００４】
【特許文献１】特許第３６８８５１０号公報
【発明の概要】
【発明が解決しようとする課題】
【０００５】
本発明は以上のような従来の欠点に鑑み、構造が簡単で、容易に設置することができ、かつ地震時に目地部が狭くなっても、目地天井材にキズが付いたりするのを効率よく阻止して、長期間損傷なく使用することができる天井用目地カバー装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の建物の、一方の建物の天井部位の躯体に吊り具を介して取付けられた天井材と、この天井材と対応する部位の前記左右の建物の他方の建物の目地部側の躯体に固定された支承体と、この支承体の上面に前記他方の建物の躯体との間に隙間を有するように所定間隔で上方へ突出するように固定された複数個の支柱と、この複数個の支柱に少なくとも左右方向に遊びを有する係合孔を有するブラケットを介して取付けられた、前記目地部を覆う部分が通常時には水平、あるいはほぼ水平状態となる目地プレートフレーム、この目地プレートフレームに所定間隔で左右方向に取付けられた複数個のプロテクター、この複数個のプロテクター間を覆い、かつ該複数個のプロテクターの下端部より下端部が上方に位置する目地天井材とからなる可動目地プレートと、前記天井材の目地部側端部に取付けられた、前記可動目地プレートの複数個のプロテクターの先端部と地震時に当接して上方へガイドすることができ、かつ通常時には該天井材と前記可動目地プレートとの隙間を覆うガイドレールとで天井用目地カバー装置を構成している。
【発明の効果】
【０００８】
以上の説明から明らかなように、本発明にあっては次に列挙する効果が得られる。
（１）請求項１により、地震で目地部が狭くなると可動目地プレートの複数個のプロテクターがガイドレールによって上方へ押し上げられるので、目地天井材がガイドレールに接触することがなく、キズが付いたりするのを確実に防止でき、長期間損傷なく使用することができる。    
（２）前記（１）によって、可動目地プレートの先端部がガイドレールに沿って上方へ回動させるだけであるので、可動目地プレートの先端部を上方へ回動させるための部品が不要となり、構造が簡単で、容易に設置することができる。
（３）前記（１）により、可動目地プレートの目地天井材をほぼ水平状態に保持させるので、目地プレートフレームの後端部を支承体あるいは他方の建物の目地部側の躯体に当接するだけでよく、可動目地プレートの構造を簡単にすることができる。
（４）前記（１）により、可動目地プレートを支承体に固定された複数個の支柱と、この複数個の支柱が挿入する少なくとも左右方向に遊びを有する係合孔をブラケットで、通常時には水平状態で、地震で目地部が狭くなると先端部が上方へ回動するように取付けているので、その取付け構造が簡単で、容易に取付けることができる。
（５）請求項２も前記（１）〜（４）と同様な効果が得られるとともに、左右の建物が異なる前後方向に揺れ動いても、目地プレートフレームが前後方向にスライド移動して、その揺れ動きを吸収することができる。
【図面の簡単な説明】
【０００９】
【図１】本発明を実施するための第１の形態の平面図。
【図２】図１の２−２線に沿う断面図。
【図３】本発明を実施するための第１の形態の支承体の取付け状態を示す説明図。
【図４】可動目地プレートの平面図。
【図５】図４の５−５線に沿う断面図。
【図６】図４の６−６線に沿う断面図。
【図７】本発明を実施するための第１の形態の目地部が狭くなった動作説明図。
【図８】本発明を実施するための第１の形態の目地部が非常に狭くなった動作説明図。
【図９】本発明を実施するための第１の形態の目地部が広くなった動作説明図。
【図１０】本発明を実施するための第２の形態の平面図。
【図１１】図１０の１１−１１線に沿う断面図。
【図１２】図１０の１２−１２線に沿う断面図。
【図１３】本発明を実施するための第３の形態の平面図。
【図１４】図１３の１４−１４線に沿う断面図。
【図１５】図１３の１５−１５線に沿う断面図。
【図１６】本発明を実施するための第３の形態の支承体の説明図。
【図１７】本発明を実施するための第３の形態の前後方向の動作説明図。
【発明を実施するための形態】
【００１０】
以下、図面に示す本発明を実施するための形態により、本発明を詳細に説明する。
【００１１】
図１ないし図９に示す本発明を実施するための第１の形態において、１は目地部２を介して設けられた左右の建物３、３間の天井目地部２を覆う本発明の天井用目地カバー装置で、この天井用目地カバー装置１は一方の建物３の天井部位の躯体３ａに取付けられた複数個の吊り具４、この吊り具４で吊下げられた取付部材５を介して取付けられたプラスターボードを用いた下地板６、この下地板６を覆うように接着剤等で固定された仕上ボード等の仕上材７を用いた天井材８と、この天井材８と対応する部位の、前記左右の建物３、３の他方の建物３の目地部側の躯体３ｂに水平方向となるように複数本のタッピングビス９等で固定された上部がコ字状に折り曲げられた支持部１０を有する支承体１１と、この支承体１１の支持部１０に前記他方の建物３の躯体３ｂとの間に隙間１２を有するように所定間隔で上方へ突出するように固定された角パイプや角柱状の複数個、本発明の実施の形態では５個の支柱１３、１３、１３、１３、１３と、この複数個の支柱１３、１３、１３、１３、１３に少なくとも左右方向の遊び１４を有する係合孔１５、１５、１５、１５、１５を有するブラケット１６、１６、１６、１６、１６を介して取付けられた前記目地部２を覆う部分が、通常時には水平あるいはほぼ水平状態となり、目地天井材１７、１７Ａ、１７の下端部よりも下方へ突出し、かつ先端部の上部が前方に突出する傾斜面のガイド片１８ａを有する複数個、本発明の実施の形態では２個のプロテクター１８、１８を備える可動目地プレート１９と、前記天井材８の目地部側端部に固定状態で取付けられた前記可動目地プレート１９の複数個のプロテクター１８、１８の先端部の傾斜面のガイド片１８ａ、１８ａと地震時に当接して上方へガイドすることができ、かつ通常時には該天井材８と前記可動目地プレート１９との隙間２０を覆う傾斜面２１に配置されたガイドレール２２と、前記他方の建物３の躯体３ｂの前記可動目地プレート１９の後方の動きを阻止しない部位にほぼ水平状態で取付けられたカバー体２３とで構成されている。
【００１２】
前記可動目地プレート１９は長方形状の枠が複数個、本発明の実施の形態では５個の枠２４が形成された目地プレートフレーム２５と、この目地プレートフレーム２５の後部の枠２４内に取付け状態で後端部が他方の建物３の躯体３ｂと当接して水平状態となるようにそれぞれ固定された上部に前記支柱１３、１３、１３、１３、１３が挿入される係合孔１５、１５、１５、１５、１５を有する支持部２６、２６、２６、２６、２６が形成され、かつＬ字状に曲げられた一方の上面が傾斜面２７のブラケット１６、１６、１６、１６、１６と、前記目地プレートフレーム２５の両端部の縦フレーム２５ａ、２５ａよりも内側位置の縦フレーム２５ａ、２５ａに複数本のタッピングビス２８等によって固定された下部が、該目地プレートフレーム２５の下端部よりも下方へ突出する複数個、本発明の実施の形態では２個のプロテクター１８、１８と、この２個のプロテクター１８、１８が取付けられている部位の縦フレーム２５ａ、２５ａの反対面に複数本のタッピングビス２９等で固定されたアングル状の目地天井材取付部材３０、３０と、この目地天井材取付部材３０、３０および前記目地プレートフレーム２５の縦フレーム２５ａ、２５ａ、２５ａ、２５ａ、２５ａ、２５ａの底面に複数本のタッピングビス３１等で下面が前記プロテクター１８、１８の下面より数ミリメートル、最適には２〜３ミリメートル上方に位置するように固定されたプラスタボードを用いた下地板３２、３３、３２、この下地板３２、３３、３２の下面を覆うように接着剤等で固定された仕上ボード等の仕上材３４、３５、３４を用いた目地天井材１７、１７Ａ、１７とで構成されている。
【００１３】
前記ガイドレール２２は複数個の吊り具４で吊下げられた取付部材５に取付けられた傾斜面２１を有するガイドレール本体３６と、このガイドレール本体３６の先端部に一体的に取付けられた、前記可動目地プレート１９の先端部のプロテクター１８、１８を支持するとともに、前記天井材８の目地部側端部を支持し、かつ可動目地プレート１９の先端部と天井材８の先端部間の隙間２０を覆うカバー部材３７とで構成されている。
【００１４】
上記構成の天井用目地カバー装置１は、通常時には目地部２は天井材８と同一面に位置する可動目地プレート１９で覆われた状態となっている。
【００１５】
しかも、可動目地プレート１９の先端部と天井材８との間の隙間２０はガイドレール２２のカバー部材３７で覆われるとともに、可動目地プレート１９の後端部はカバー体２３で覆われ、隙間が下方から見えない状態になっている。
【００１６】
地震で左右の建物３、３が揺れ動き、目地部２が狭くなると、図７に示すように可動目地プレート１９の先端部がガイドレール２２の傾斜面２１に沿って上方へ回動して、その揺れ動きを吸収する。
【００１７】
この時、ガイドレール２２の傾斜面２１とは可動目地プレート１９のプロテクター１８、１８の先端部の傾斜面のガイド片１８ａがまず最初に接触した後、該プロテクター１８、１８の底面が接触するだけであるため、目地天井材１７、１７Ａ、１７の仕上材３４、３５、３４は接触しないので、キズが付いたりするのを防止できるとともに、可動目地プレート１９の先端部が自重で少し下がってもプロテクター１８、１８の先端部の傾斜面のガイド片１８ａとガイドレール２２の傾斜面２１とが接触するため、衝突することなくスムーズに可動目地プレート１９の先端部をガイドレール２２の傾斜面２１にそって上方へ移動させめことができる。
【００１８】
また、目地部２が通常時の半分以下となるように左右の建物３、３が揺れ動いた場合、図８に示すように可動目地プレート１９の先端部が天井材８を支持している取付部材５上のガイドレール２２上に位置し、該可動目地プレート１９の中央部より後方寄りの部位が支持された状態となるため、可動目地プレート１９の自重バランスによって、後方が上方へ回動して水平状態となるが、この時、支柱１３、１３、１３、１３、１３から可動目地プレート１９のブラケット１６、１６、１６、１６、１６が外れない状態になっているため、目地部２が広くなると元の状態へ自動的に戻る。
【００１９】
なお、このような動作中にもガイドレール２２には可動目地プレート１９のプロテクター１８、１８しか接触していないので、目地天井材１７、１７Ａ、１７の仕上材３４、３５、３４にキズが付いたりするのを効率よく阻止できる。
【００２０】
地震で目地部２が広くなるように左右の建物３、３が揺れ動くと、図９に示すように可動目地プレート１９の先端部より、一方の建物３の天井材８が離れていくが、可動目地プレート１９の後端部が他方の建物３の目地部側の躯体３ｂに固定された支承体１１と当接しているため、水平状態を保った状態でその揺れ動きを吸収することができる。
【００２１】
地震での揺れ動きが停止すると、元の状態に自動的に戻る。
【００２２】
なお、可動目地プレート１９のプロテクター１８、１８の先端部にガイドレール２２の傾斜面２１と面接触するガイド部材を設けてもよい。
【００２３】
[発明を実施するための異なる形態]
次に、図１０ないし図１７に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２４】
図１０ないし図１２に示す本発明を実施するための第２の形態において、前記本発明を実施するための第１の形態と主に異なる点は、角パイプ状の支承体１１Ａを用いるとともに、取付け状態で目地プレートフレーム２５が水平状態を保つように、後端部を他方の建物３の目地部側躯体３ｂと当接するようにした可動目地プレート１９Ａを用いた点で、このように構成した天井用目地カバー装置１Ａにしても前記本発明を実施するための第１の形態と同様な作用効果が得られる。
【００２５】
図１３ないし図１７に示す本発明を実施するための第３の形態において、前記本発明を実施するための第１の形態と主に異なる点は、他方の建物３の目地部側の躯体３ｂにクランク状の支承体本体３８を固定し、この支承体本体３８の上面および上部背面、下部正面に前後方向へスムーズに移動させることができるローラ３９、４０、４１を設けた固定支承体４２と、この固定支承体４２の上面および上部背面、下部正面に設けられたローラ３９、４０、４１によって、前後方向にスライド移動する支柱１３、１３、１３、１３、１３を備えた可動支承体４３とからなる支承体１１Ｂを用いるとともに、目地プレートフレーム２５の後端部に他方の建物３の目地部側躯体３ｂを転動するローラ４４、４４を取付けた可動目地プレート１９Ｂを用いた点で、このように構成した天井用目地カバー装置１Ｂにしても、前記本発明を実施するための第１の形態と同様な作用効果が得られるとともに、可動目地プレート１９Ｂの先端部を上方へ回動させたり、支承体１１Ｂの可動支承体４３が前後方向に移動することにより、図１７に示すように可動目地プレート１９Ｂを前後方向にスライド移動させて、地震の揺れ動きを吸収することができる。
【００２６】
本発明の実施の形態において、固定支承体４２に支柱１３、１３、１３、１３、１３を設け、該支柱１３、１３、１３、１３、１３に対して、前後左右方向に遊びを有する長孔状のガイ係合孔１５、１５、１５、１５、１５を有するブラケット１６、１６、１６、１６、１６を用いても同様な作用効果が得られる。
【００２７】
なお、前記本発明を実施するための各形態では５個の支柱１３、１３、１３、１３、１３、５個のブラケット１６、１６、１６、１６、１６を用いるとともに、２個のプロテクター１８、１８を用いるものについて説明したが、本発明はこれに限らず、２個以上の支柱やブラケットを用いるとともに、２個以上のプロテクターを用いてもよい。
【産業上の利用可能性】
【００２８】
本発明は目地部を介して設けられた左右の建物の天井部分の目地部を覆う天井用目地カバー装置を製造する産業で利用される。
【符号の説明】
【００２９】
１、１Ａ、１Ｂ：天井用目地カバー装置、
２：目地部、        ３：建物、
４：吊り具、          ５：取付部材、  
６：下地板、        ７：仕上材、
８：天井材、        ９：タッピングビス、
１０：支持部、      １１、１１Ａ、１１Ｂ：支承体、
１２：隙間、        １３：支柱、
１４：左右の遊び、      １５、１５Ａ：係合孔、
１６、１６Ａ：ブラケット、  １７、１７Ａ：目地天井材、
１８：プロテクター、    
１９、１９Ａ、１９Ｂ：可動目地プレート、
２０：隙間、        ２１：傾斜面、
２２：ガイドレール、    ２３：カバー体、
２４：枠、        ２５：目地プレートフレーム、
２６：支持部、      ２７：傾斜面、
２８：タッピングビス、    ２９：タッピングビス、
３０：目地天井材取付部材、  ３１：タッピングビス、
３２、３３：下地板、    ３４、３５：仕上材、  
３６：ガイドレール本体、    ３７：カバー部材、
３８：支承体本体、      ３９、４０、４１：ローラ、
４２：固定支承体、            ４３：可動支承体、
４４：ローラ。
【図１】
2014001565.tif 000003
【図２】
2014001565.tif 000004
【図３】
2014001565.tif 000005
【図４】
2014001565.tif 000006
【図５】
2014001565.tif 000007
【図６】
2014001565.tif 000008
【図７】
2014001565.tif 000009
【図８】
2014001565.tif 000010
【図９】
2014001565.tif 000011
【図１０】
2014001565.tif 000012
【図１１】
2014001565.tif 000013
【図１２】
2014001565.tif 000014
【図１３】
2014001565.tif 000015
【図１４】
2014001565.tif 000016
【図１５】
2014001565.tif 000017
【図１６】
2014001565.tif 000018
【図１７】
2014001565.tif 000019